(57)【特許請求の範囲】
【請求項１】
磁気保護対象である電子部品が実装された制御回路基板と、
磁気発生源の素子が実装された駆動回路基板と
を備え、
前記駆動回路基板は、前記制御回路基板の前記電子部品が実装された面とは反対側の面と対向して配置され、
前記制御回路基板の内層には、グランド層が備えられ、
前記グランド層は、前記電子部品の実装位置に対応した部位とその周囲とで離間し、且つ当該電子部品と前記素子との間に設けられたこと
を特徴とする電子制御装置。
【請求項２】
前記グランド層は、前記電子部品の実装位置に対応した前記部位の設置面積が当該電子部品の実装面積よりも大きく、且つ前記周囲と間隙をもって離間していること
を特徴とする請求項１に記載の電子制御装置。
【請求項３】
前記磁気発生源の素子は、電動モータを駆動させる駆動素子であり、
前記電子部品は、前記電動モータのシャフトの回転を検出する検出素子であること
を特徴とする請求項１または２に記載の電子制御装置。
【発明の詳細な説明】
【技術分野】
【０００１】
本発明は車両等の搭載される電子制御装置の回路基板の構造に関する。
【背景技術】
【０００２】
車両等に搭載される電子制御装置は、電動モータを駆動させる駆動回路基板と、前記電動モータを制御する制御回路基板とを備える。前記制御回路基板には、電動モータの制御因子であるモータ回転角を検出する検出素子が実装されている。
【０００３】
前記駆動回路基板には大電流を発生するスイッチング素子等の電子部品が実装されており、電子制御装置の動作時に前記電子部品から発生した磁気が前記検出素子の検出性能に影響を及ぼすことがある。
【０００４】
前記発生した磁気への対策として、例えば、磁気保護対象の検出素子が実装された面とは反対側の制御回路基板の面における当該素子の実装位置と対応した部位に磁気遮蔽板が配置、若しくは、磁気発生源の電子部品に対して磁気遮蔽板が配置される。または、回路基板の絶縁層間に前記磁気を遮蔽させる強磁性体層が設けられる（特許文献１）。
【先行技術文献】
【特許文献】
【０００５】
【特許文献１】特開２００６−１５６５９７号公報
【発明の概要】
【発明が解決しようとする課題】
【０００６】
制御回路基板、磁気発生源に対する磁気遮蔽板の配置は、部品点数が増えるので製造コストが高くなることに加えて、駆動回路基板，制御回路基板間にデッドスペースが増えるので、電子制御装置の大型化を招く。
【０００７】
一方、回路基板の絶縁層間に強磁性体層を形成させる処置は、磁気遮蔽板の配置が不要となり駆動回路基板，制御回路基板間の省スペース化に貢献できるが、絶縁層間に強磁性体層を形成させる工程を必要するので、制御回路基板の製造コストが高くなる。
【０００８】
本発明は、上記の事情に鑑み、電子部品を実装した回路基板の電子制御装置の大型化を回避しつつ当該電子部品に対する外部からの磁気の影響を低コストに低減することを課題とする。
【課題を解決するための手段】
【０００９】
そこで、本発明の回路基板は、回路基板に実装された磁気保護対象の電子部品の実装位置に対応した部位の当該基板の内層がその周囲の内層と離間して設けられている。
【００１０】
また、本発明の電子制御装置は、電子部品が実装された回路基板を備え、この回路基板は、磁気保護対象である前記電子部品の実装位置に対応した部位の当該基板の内層がその周囲の内層と離間して設けられている。
【００１１】
以上の発明によれば、電子部品が実装された回路基板において、磁気保護対象である前記電子部品の実装位置に対応した部位の当該基板の内層がその周囲の内層と離間しているので、当該基板の外部で発生した磁気の当該電子部品への廻りこみが遮断される。また、前記部位の内層においては、外部から入射された磁気を反射する。したがって、外部からの磁気による電子部品への影響を低減させることができる。
【発明の効果】
【００１２】
本発明によれば、電子部品を実装した回路基板の電子制御装置の大型化を回避しつつ当該電子部品に対する外部からの磁気の影響を低コストに低減できる。
【図面の簡単な説明】
【００１３】
【図１】本発明の実施形態における電子制御装置の分解斜視図。
【図２】同電子制御装置のケースに収容された駆動回路基板及び制御回路基板を示した縦断面図。
【図３】同制御回路基板の内層に設けられた磁気保護対象素子に対する磁気を遮蔽する層とその周辺を示す当該基板の縦断面図。
【図４】（ａ）同制御回路基板に実装された磁気保護対象素子とその周辺を示した平面図、（ｂ）同回路基板の内層における磁気を遮蔽する層とその周辺を示した平面図。
【発明を実施するための形態】
【００１４】
以下、図面を参照しながら本発明の実施形態について説明する。
【００１５】
図１に示された本実施形態の電子制御装置１は、例えば、自動車に搭載されてエンジン、トランスミッションブレーキ、パワーステアリング等を制御する電動モータに適用される制御装置である。
【００１６】
電子制御装置１は、モータハウジング２の外装部に固定されるケース３と、ケース３と接合されるカバー４と、このケース３，カバー４間に収容されて図示省略の電動モータを駆動させる駆動回路基板５と、ケース３，カバー４間に収容されて駆動回路基板５の駆動を制御する制御回路基板６と、図示省略の電源バッテリから駆動回路基板５，制御回路基板６及び前記電動モータに電力などを供給するコネクタ７とを有している。
【００１７】
駆動回路基板５は、コネクタ７から供給される電流を三相（Ｕ相，Ｖ相，Ｗ相）交流に変換し、制御回路基板６からの制御信号に応じて前記電動モータを駆動させるパワーモジュールの機能を備えた回路基板である。
【００１８】
駆動回路基板５にはベースとなる金属材料からなる板上に絶縁層を介して図示省略の配線パターンが形成され、コネクタ７の第一通電端子７１の一端部と電気接続される電源用の第二通電端子５１と、三相交流の各相に上流側Ｐと下流側Ｑとが直列に電気接続された駆動トランジスタ（駆動素子、スイッチング素子）５２と、図示省略の電動モータの三相の第一通電端子２１の一端部と電気接続される三相モータ用の第二通電端子５３とが実装されている。
【００１９】
すなわち、駆動トランジスタ５２が「２個（上流Ｐと下流Ｑとが一対となったセット）×３セット（三相分）」の配列で駆動回路基板５に実装され、各セットの上流側の各駆動トランジスタ５２と下流側の各駆動トランジスタ５２と並列に第二通電端子５３が配置され、三相交流を前記電動モータの各第一通電端子２１に供給している。
【００２０】
各第二通電端子５１はコネクタ７の第一通電端子７１の一端部と対向して配置され、各第二通電端子５３は電動モータの第一通電端子２１の一端部と対向して配置されている。
【００２１】
駆動回路基板５は、図示省略の平滑コンデンサ、障害発生時のフェイルセーフ用リレー、コイル等の電子部品が実装されている。前記平滑コンデンサは、第一通電端子７１，第二通電端子５１の電気接続により供給される電流を平滑化して各駆動トランジスタ５２に供給している。
【００２２】
さらに、駆動回路基板５の左右の縁部には通電端子５４の基端部が電気接合され、またカバー４への固定用の貫通孔群が形成されている。この各貫通孔に挿通された固定ねじの軸部が、カバー４の雌ねじ孔に締結されている。
【００２３】
制御回路基板６は、プリント基板（ガラスエポキシ基板）またはセラミック基板により構成されている。この制御回路基板６は、各駆動トランジスタ５２を制御するマイクロコンピュータ（ＣＰＵ：以下、マイコンと省略する）６１と、前記電動モータの回転を検出するホール素子６２とを有している。
【００２４】
マイコン６１は制御回路基板６の駆動回路基板５に対向する面に実装されている一方、ホール素子６２はマイコン６１と反対の面、すなわち、ケース３の開口部３１に収容配置されたセンサマグネットＳの対向面に実装されている。マイコン６１，ホール素子６２は制御回路基板６の回路パターンを通じて電気接続され、この回路パターンが両者６１，６２間の信号伝達経路となっている。
【００２５】
ホール素子６２は、制御回路基板６の一端部側において、前記電動モータのシャフトの基端部に固定されたセンサマグネットＳと対向する位置に配置されている。そして、ホール効果（Hall effect）を利用してセンサマグネットＳの磁界を検出し、前記シャフトの回転を検出する。この検出信号は制御回路基板６の回路パターンを通じてマイコン６１に入力される。
【００２６】
また、制御回路基板６の一端部側には、通電端子５４の先端部が挿通されて半田付や溶接などで電気接続されている。一方、制御回路基板６の他端部側には、通電端子７１の一端部を駆動回路基板５側に通すための切欠部６３が形成されている。この切欠部６３の両側にはコネクタ７の信号端子，通信端子の一端部が挿通されて電気接続されている。
【００２７】
したがって、マイコン６１は、コネクタ７の信号端子，通信端子を通じて外部から入力される情報（例えば操舵トルク、車速信号など）やホール素子６２の検出信号に基づき駆動トランジスタ５２を制御する。
【００２８】
さらに、制御回路基板６の左右の縁部には貫通孔群が形成され、これらの貫通孔に挿通された固定ねじの軸部がケース３の基板固定部の雌ねじ孔に締結される。
【００２９】
制御回路基板６は、図３に例示したように多層プリント配線基板の態様を成し、第一内層８１の両面に第二内層８２を有しこの第二内層８２にさらに表層８３が配置されている。
【００３０】
第一内層８１は、いわゆるグランド層であり、具体的には、制御回路基板６に実装された電気回路の共通の電源や、接地電位、シールド等のための共通の基準として用いられる配線層として機能する。
【００３１】
第二内層８２は、いわゆる信号層であり、具体的には信号線を有する配線層として機能する。本実施形態の第二内層８２は、例えば、マイコン６１とホール素子４６と間で電気信号を伝えるための配線として機能し、より具体的には、マイコン６１が実装された一方の表層８３と、ホール素子４６が実装された他方の表層８３とを、層間接続によって電気的に接続させる。
【００３２】
表層８３は、最も外側に配置されたいわゆる配線層であり、外装回路として機能する。本実施形態の表層８３は、表面実装型の電子部品（例えば、マイコン６１、ホール素子４６）を搭載するための接続端子や、挿入部品を搭載するためのランド等に加え、これらの接続端子やランドを電気的に接続するための配線（信号線）を有している。
【００３３】
また、図４（ａ）（ｂ）に示したように、第一内層８１においては、制御回路基板６に実装されたホール素子４６の実装位置に対応した部位の内層８１ａがその周囲の内層８１ｂと間隙８４をもって分離して形成されている。内層８１ａの設置面積は、ホール素子６２の実装面積よりも大きく且つホール素子６２の近傍周囲以内に設定されている。
【００３４】
以上の第一内層８１、第二内層８２、表層８３を有する制御回路基板６は周知の多層プリント配線基板の製造方法によって製造できる。
【００３５】
本実施形態の電子制御装置１が電動パワーステアリング装置に適用された事例における同装置１の動作例について説明する。
【００３６】
ステアリングホィールが操作されてステアリングシャフトがいずれかの方向へ回動すると、このステアリングシャフトの回動方向と回動トルクとがトルクセンサによって検出される。制御回路基板６の制御回路は、前記トルクセンサ並びにホール素子４６の検出値に基づき、操舵力を補助する電動モータの駆動操作量を算出する。駆動回路基板５の駆動トランジスタ５２は前記演算された駆動操作量の値に基づく制御信号に基づき前記電動モータを駆動させる。
【００３７】
この電子制御装置１の動作時に、図２に示した駆動回路基板５に実装された駆動素子、スイッチング素子等の駆動トランジスタ５２や駆動回路からは磁界が発生し、その磁気が制御回路基板６側に放射される。制御回路基板６に放射された磁気は第一内層８１（グランド層）を介して例えば電子制御装置１の筐体（ケース３，カバー４）等に接地されるが、一部の磁気はホール素子６２側に廻りこむ。
【００３８】
ホール素子６２の実装位置に対応した内層８１の部位においては、図３に示したように、内層８１ａがその周囲の内層８１ｂと間隙８４をもって離間しているので、ホール素子６２への磁気の入射が遮断される。一方、内層８１ａにおいては制御回路基板６の外部から入射された磁気を反射するので、ホール素子６２への磁気の入射が遮断される。
【００３９】
以上のように、駆動回路基板５の動作時に発生した磁界によるホール素子６２への影響を低減させることができる。これにより、駆動回路基板５の駆動によって発生した磁界によるホール素子６２の測定ノイズが軽減し、前記電動モータの運転精度の維持が図れる。
【００４０】
以上の本実施形態の制御回路基板６によれば、その内層８１領域、特にグランド層領域において外部から入射した磁界を遮蔽できるので、駆動回路基板５や制御回路基板６に対して磁気遮蔽板を付帯させることなく、ホール素子６２への磁気の影響を低減できる。また、磁気を遮蔽するためのランドパターンを新たに追加する必要がないので、周知の多層プリント配線基板の製造方法によって製造できる。
【００４１】
したがって、ホール素子６２を実装した制御回路基板６の電子制御装置１の大型化を回避しつつホール素子６２に対する外部からの磁気の影響を低コストに低減できる。
【００４２】
特に、制御回路基板６の内層８１ａはその設置面積がホール素子６２の実装面積よりも大きく且つホール素子６２の近傍周囲以内に設定されているので、磁気を確実に遮蔽できる。
【００４３】
尚、内層８１ａを内層８１ｂの材料よりも強磁性の材料によって構成すると、内層８１ａにおいて磁気の反射性能が高まり、ホール素子６２に対する磁気の遮蔽効果がさらに向上する。
【００４４】
以上説明した本発明は、上述の実施形態に限定されるものではなく、その要旨を逸脱しない範囲で種々の実施形態に適用可能である。
【符号の説明】
【００４５】
１…電子制御装置
６…制御回路基板（回路基板）
６２…ホール素子（磁気保護対象の電子部品）
８１…第一内層、８１ａ…内層、８１ｂ…内層
８２・・・第二内層
８３…表層
【図１】
0006418864.tif 000002
【図２】
0006418864.tif 000003
【図３】
0006418864.tif 000004
【図４】
0006418864.tif 000005